【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
金属被覆された光ファイバを製造する方法であって、前記方法が、
（ａ）液体可溶性ポリマー被覆によって囲まれたガラスファイバを有する、ある長さの光ファイバを提供する工程と、
（ｂ）前記光ファイバを、一連の溶液浴を通して通過させて、前記ガラスファイバが前記各浴内の溶液に所定の滞留時間接触するようにする工程であって、前記一連の溶液浴が前記ポリマー被覆の除去とそれに続く前記ガラスファイバ上への金属のメッキをもたらす工程と、
（ｃ）金属のメッキの後に前記光ファイバを収集して、選択された量の前記金属被覆された光ファイバが寄せ集められるようにする工程と、
を含む方法。
【請求項２】
前記ガラスファイバが炭素層を有する、請求項１に記載の方法。
【請求項３】
前記液体可溶性ポリマー被覆が、化学溶剤によって除去されたポリマー材料を含む、請求項１に記載の方法。
【請求項４】
化学溶剤によって除去された前記ポリマー材料が、アクリラートを含む、請求項３に記載の方法。
【請求項５】
前記液体可溶性ポリマー被覆が、水溶性ポリマーを含む、請求項１に記載の方法。
【請求項６】
前記水溶性ポリマーが、ポリアクリル酸ナトリウム、ポリアクリルアミド、ポリビニルアルコール、ポリエチレンイミン、ポリエチレングリコール、およびポリビニルピロリドンからなる群から選択される、請求項５に記載の方法。
【請求項７】
前記ポリマー被覆の前記水溶性ポリマーが、水によって実質的に室温で除去される、請求項５に記載の方法。
【請求項８】
前記ポリマー被覆の前記水溶性ポリマーが、前記水によってほぼ１分間の滞留時間以下で除去される、請求項７に記載の方法。
【請求項９】
前記ガラスファイバが、前記一連の溶液浴の中を通して、前記溶液浴の各々内の対応する溶液以外何も接触せずに通過する、請求項１に記載の方法。
【請求項１０】
前記溶液浴の各々が、入口および出口孔を有する容器を備えていて、これらを通して前記光ファイバが前記容器に接触せずに通過するようになっている、請求項９に記載の方法。
【請求項１１】
前記容器内の液体が、再循環のために前記入口および出口孔から流出する、請求項１０に記載の方法。
【請求項１２】
液体が、周囲圧力によって前記入口出口孔から流出することを妨げられている、請求項１０に記載の方法。
【請求項１３】
前記液体可溶性ポリマー被覆が、少なくとも１種の色素を含有するポリマー溶液を通して前記ガラスファイバを通過させることによって、前記ガラスファイバに適用される、請求項１に記載の方法。
【請求項１４】
前記ガラスファイバが、前記少なくとも１種の色素を通して鉛直に通過される、請求項１３に記載の方法。
【請求項１５】
前記ポリマーが、１から５０００ｍＰａ・ｓの粘度を有する、請求項１３に記載の方法。
【請求項１６】
前記金属が、無電解メッキ法によって前記ガラスファイバ上にメッキされる、請求項１に記載の方法。
【請求項１７】
前記金属が、ニッケル、銅、金、銀、および相応する合金からなる群から選択される、請求項１６に記載の方法。
【請求項１８】
前記ある長さの光ファイバが、１〜１０キロメーターの長さである、請求項１に記載の方法。
【請求項１９】
金属被覆された光ファイバを製造する方法であって、前記方法が、
（ａ）水溶性ポリマー被覆によって囲まれたガラスファイバを有する、ある長さの光ファイバを提供する工程と、
（ｂ）前記光ファイバを、水浴を通して通過させて前記ポリマー被覆を除去する工程と、
（ｃ）前記ポリマー被覆の除去の後に、前記ガラスファイバを、少なくとも１つの溶液浴を通して通過させ、その中の溶液に前記ガラスファイバが所定の滞留時間接触するようにして、前記ガラスファイバ上への金属の無電解メッキを達成する工程と、
（ｃ）金属メッキの後に前記光ファイバを収集して、選択された量の前記金属被覆された光ファイバが寄せ集められるようにする工程と、
を含む方法。
【請求項２０】
前記ガラスファイバが炭素層を有する、請求項１９に記載の方法。
【請求項２１】
前記水溶性ポリマーが、ポリアクリル酸ナトリウム、ポリアクリルアミド、ポリビニルアルコール、ポリエチレンイミン、ポリエチレングリコール、およびポリビニルピロリドンからなる群から選択される、請求項２０に記載の方法。
【請求項２２】
前記ポリマー被覆の前記水溶性ポリマーが、水によって実質的に室温で除去される、請求項２０に記載の方法。
【請求項２３】
前記ポリマー被覆の前記水溶性ポリマーが、前記水によってほぼ１分間の滞留時間以下で除去される、請求項２２に記載の方法。
【請求項２４】
前記ガラスファイバが、前記水浴および前記少なくとも１つの溶液浴を通して、その中の対応する液体以外何も接触せずに通過する、請求項２０に記載の方法。
【請求項２５】
前記浴の各々が、入口および出口孔を有する容器を備えていて、これらを通して前記光ファイバが前記容器に接触せずに通過するようになっている、請求項２４に記載の方法。
【請求項２６】
前記水溶性ポリマー被覆が、少なくとも１種の色素を含有するポリマー溶液を通して前記ガラスファイバを通過させることによって、前記ガラスファイバに適用される、請求項２０に記載の方法。
【請求項２７】
前記ポリマーが、１から５０００ｍＰａ・ｓの粘度を有する、請求項２６に記載の方法。
【請求項２８】
前記金属が、ニッケル、銅、金、銀、および相応する合金からなる群から選択される、請求項２０に記載の方法。
【請求項２９】
光ファイバ製造工程の間に継続的にガラスファイバが通過する液体を含有する装置であって、前記装置が、
ある量の前記液体を含有する第１容器であって、前記第１容器が入口孔および出口孔を画定していて前記第１容器を通して前記ガラスファイバの通過の移動を可能にする、第１容器と、
貯蔵液体を含有するリザーバと、
前記貯蔵液体を前記リザーバから取り出して前記容器から流出した液体を戻すポンプと、
を含む装置。
【請求項３０】
前記第１容器の前記入口孔および前記出口孔から流出した液体が前記リザーバに流入して、前記貯蔵液体が再循環された液体であるようになっている、請求項２９に記載の装置。
【請求項３１】
前記第１容器がその底部に液体入口を有し、そこに前記ポンプが前記貯蔵液体を供給する、請求項３０に記載の装置。
【請求項３２】
前記第１容器の外側に第２容器を更に備え、前記第２容器が前記入口孔および前記出口孔から流出した前記液体を受容してそれが前記リザーバに流入するように位置づけられている、請求項３１に記載の装置。
【請求項３３】
前記ガラスファイバが、取り出しリールから供給されて前記入口孔に入り、前記出口孔を出た後に巻き取りリール上に収集される、請求項３０に記載の装置。
【請求項３４】
光ファイバ製造工程の間に継続的にガラスファイバが通過する液体を含有する装置であって、前記装置が、
入口孔および出口孔を画定する容器であって、前記容器を通して前記ガラスファイバの通過の移動を可能にする容器と、
前記容器が、ある量の前記液体を含有するとともに前記ある量の前記液体を超えるアレージを画定するように構成されていることと、
前記アレージと流体接続してそこに負圧を形成することにより、前記入口および出口孔からの前記液体の流出を妨げる真空源と、
を含む装置。
【請求項３５】
コアおよびクラッディングを含むガラスファイバと、
水溶性ポリマー被覆と、
を含む光ファイバ。
【請求項３６】
ガラスファイバが、前記クラッディングの外側の炭素層を有し、前記炭素層が前記水溶性ポリマー被覆の内側にある、請求項３５に記載の光ファイバ。
【請求項３７】
前記光ファイバが、１メートルより大きい長さを有する、請求項３６に記載の光ファイバ。
【請求項３８】
前記光ファイバが、１〜１０キロメーターの長さである、請求項３７に記載の光ファイバ。
【請求項３９】
金属被覆された光ファイバであって、
１メートルより大きな長さを有するガラスファイバであって、前記ガラスファイバがコアおよびクラッディングを含む、ガラスファイバと、
前記クラッディングを囲んで含有する金属被覆であって、前記金属被覆が前記ガラスファイバの実質的に全軸方向長さに沿って延在している、金属被覆と、を含み、
前記ガラスファイバが約２００マイクロメートル以下の直径を有するとともに前記金属被覆が約１０マイクロメートル以下の厚さを有する、光ファイバ。
【請求項４０】
前記ガラスファイバが、前記クラッディングの外側に炭素層を有し、前記炭素層が前記金属被覆の内側にある、請求項３９に記載の光ファイバ。
【請求項４１】
前記光ファイバが、１〜１０キロメートルの長さである、請求項４０に記載の光ファイバ。
【請求項４２】
前記金属が、ニッケル、銅、金、銀、および相応する合金からなる群から選択される、請求項４０に記載の光ファイバ。